(57)【要約】【課題】  不意の出来事から就寝者を好適に保護することができるとともに、組み立てが簡易な睡眠時安全装置を提供する。【解決手段】  睡眠時安全装置１０は、寝具であるベッド１１に対応するものであり、ベッド１１の周囲を囲むように配設されたベース体１２と、該ベッド１１をその上方から覆うように配設された安全装置本体１３とを備えている。安全装置本体１３は、フレーム３１と、該フレーム３１に張設されている被布３２とからなる。この安全装置本体１３は、ベッド１１に吊り下げられており、該ベッド１１に対して昇降可能に構成されている。【選択図】      図１
2008048957.tif 000002
【特許請求の範囲】
【請求項１】
フレームと、該フレームに張設されている被布とからなる安全装置本体を備えており、寝具に対応されることを特徴とする睡眠時安全装置。
【請求項２】
該フレームと、該被布とからなる安全装置本体は、寝具上に昇降可能に吊り下げられている請求項１に記載の睡眠時安全装置。
【請求項３】
該フレームと、該被布とからなる安全装置本体は、その一側縁を軸として、寝具に対して回動可能に構成されている請求項１に記載の睡眠時安全装置。
【発明の詳細な説明】
【技術分野】
【０００１】
本発明は、睡眠時において、地震等による物の落下から就寝者を保護し、またベッドからの就寝者の転落を抑制する睡眠時安全装置に関するものである。
【背景技術】
【０００２】
従来、上記のような睡眠時安全装置として、例えば、特許文献１の災害安全装置には、ベッド、ソファーを対象としてその対象物が上方のガードにより耐震構造になっていることが記載されている。特許文献２の防護装置には、ベッドや敷布等の寝具類の幅方向一側上方域を一定以上の負荷に耐え得る構造のものとして覆い他側を開放状態に形成したことが記載されている。
【特許文献１】特開平９−３８２２９号公報
【特許文献２】特開２００１−１０４１１１号公報
【発明の開示】
【発明が解決しようとする課題】
【０００３】
ところが、上記従来の装置においては、構成が大がかりで組み立て、あるいは取り扱いが複雑なものとなる等といった問題があった。
本発明は、このような従来技術に存在する問題点に着目してなされたものである。その目的とするところは、不意の出来事から就寝者を好適に保護することができるとともに、組み立てが簡易な睡眠時安全装置を提供することにある。
【課題を解決するための手段】
【０００４】
上記の目的を達成するために、請求項１に記載の睡眠時安全装置の発明は、フレームと、該フレームに張設されている被布とからなる安全装置本体を備えており、寝具に対応されることを要旨とする。
この構成によれば、安全装置本体は、フレームと被布とからなり、構成が簡易であるため組み立てを簡易なものとすることができる。
請求項２に記載の発明は、請求項１に記載の睡眠時安全装置において、該フレームと、該被布とからなる安全装置本体は、寝具上に昇降可能に吊り下げられていることを要旨とする。
【０００５】
この構成によれば、例えばベッド等の寝具から降りたりする際、安全装置本体を昇降させることによって容易に移動させることができる。
請求項３に記載の発明は、請求項１に記載の睡眠時安全装置において、該フレームと、該被布とからなる安全装置本体は、その一側縁を軸として、寝具に対して回動可能に構成されていることを要旨とする。
この構成によれば、例えばベッド等の寝具から降りたりする際、安全装置本体を回動させることによって容易に移動させることができる。
【発明の効果】
【０００６】
本発明によれば、不意の出来事から就寝者を好適に保護することができる。
【発明を実施するための最良の形態】
【０００７】
（第１実施形態）
以下、本発明の睡眠時安全装置を具体化した第１実施形態を図面に基づいて説明する。
図１に示すように、第１実施形態の睡眠時安全装置１０は、寝具であるベッド１１に対応するものである。該睡眠時安全装置１０は、該ベッド１１の周囲を囲むように配設されたベース体１２と、該ベッド１１をその上方から覆うように配設された安全装置本体１３とを備えている。
【０００８】
該ベース体１２は、長四角枠状をなすベースフレーム２１と、該ベースフレーム２１の底面の４つのコーナーからそれぞれ垂下された支持脚２２とを備えている。ベースフレーム２１及び支持脚２２は、鉄、鋼、ステンレス鋼、アルミニウム、アルミニウム合金等の金属、ポリアミド（ＰＡ、ナイロン）、ポリアセタール（ＰＯＭ）、ポリエーテルエーテルケトン（ＰＥＥＫ）、ポリカーボネート（ＰＣ）、超高分子量ポリエチレン、繊維強化プラスチック（ＦＲＰ、ＣＦＲＰ）等の合成樹脂のような剛性を有する材料を用いて形成されている。
【０００９】
該ベースフレーム２１の短辺中央部には、昇降装置を構成するシリンダ２３が立設されている。該シリンダ２３の基端部（下端部）は、ベースフレーム２１に固定されている。該シリンダ２３には、油圧シリンダ、エアシリンダ、スプリングシリンダ、電動シリンダ、機械式シリンダなどが使用されている。また、該シリンダ２３としては、伸長あるいは収縮させる際、使用者が所望する任意の位置で伸長あるいは収縮を止めることができ、かつ該任意の位置を保持することができるものを使用することが望ましい。
【００１０】
安全装置本体１３は、フレーム３１と、該フレーム３１に張設されている被布３２とからなる。フレーム３１は、アルミニウム、アルミニウム合金、チタン合金等の軽金属、繊維強化プラスチック（ＦＲＰ、ＣＦＲＰ）等のような軽量であり、かつ剛性の高い材料からなる円弧状材、直線材を井桁状に組み合わせて形成されている。該被布３２は、布、ネット、プラスチックシート等の材料からなり、該フレーム３１の表面を覆い、該フレーム３１の各材間に形成された隙間を埋めている。該フレーム３１及び該被布３２からなる安全装置本体１３は、天蓋状に形成されており、その内部に空間を有している。なお、該被布３２の材料である布、ネット、プラスチックシート等においては、ケブラー繊維、炭素繊維、金属繊維等のような高強度、あるいは高耐熱性を有する繊維を含むものを使用することが好ましい。
【００１１】
そして、該安全装置本体１３は、その短辺中央の上部がシリンダ２３の先端部（上端部）に接続されることにより、ベッド１１上に吊り下げられている。また、該安全装置本体１３は、シリンダ２３の伸長、収縮によって昇降可能に構成されている。
次に、睡眠時安全装置１０の使用方法について以下に記載する。
さて、睡眠時安全装置１０を使用する場合、まず安全装置本体１３がベッド１１の上方に吊り下げられた状態（図１中に実線で示した状態）で、使用者がベッド１１上に移動する。次いで、使用者がベッド１１上で半身を起こし、安全装置本体１３を引き下げる。すると、シリンダ２３が収縮し、安全装置本体１３が降下してベッド１１を上方から覆う状態（図１中に二点鎖線で示した状態）となる。この状態のまま使用者は、ベッド１１に仰臥あるいは伏臥して寝転び、睡眠あるいは休息する。
【００１２】
また、使用者がベッド１１から移動する場合は、ベッド１１を上方から覆う状態となっている安全装置本体１３の縁に手をかけ、該安全装置本体１３を上方へ引き上げることにより、シリンダ２３が伸長し、安全装置本体１３がベッド１１の上方に吊り下げられた状態となるため、この状態のまま使用者は、ベッド１１上から移動する。
なお、第三者として使用者の補助者が存在する場合、該補助者が安全装置本体１３の引き下げ、引き上げを行ってもよい。
【００１３】
上記の睡眠時安全装置１０によれば、睡眠時に安全装置本体１３がベッド１１を上方から覆う状態となっている。このため、地震による物の落下等といった不意の出来事があった場合、該落下物等は安全装置本体１３に遮られ、使用者に当たらないようになっている。一方、使用者のベッド１１からの転落等といった不意の出来事に対しては、該安全装置本体１３が、いわゆる「柵」として機能し、該転落を防止する。したがって、不意の出来事から就寝者である使用者を好適に保護することができる。
【００１４】
また、該睡眠時安全装置１０は、ベース体１２及び安全装置本体１３からなる簡易な構成であり、組み立て、設置、移動等を容易に行うことができる。加えて、安全装置本体１３の昇降は、使用者あるいは補助者が手動で行うものとしており、取り扱いに優れる。特に、安全装置本体１３は、軽金属、合成樹脂等の軽量で剛性を有する材料を使用しており、使用者を好適に保護するに足る強度を保持しつつ、軽量であるため、容易に昇降させることができる。
【００１５】
本実施形態の睡眠時安全装置１０は、安全装置本体１３の昇降を手動で行うことを特徴としている。すなわち、安全装置本体を電動で昇降させた場合、災害時には送電が停止している可能性が非常に高く、該災害時に昇降不能となるおそれがある。しかし、安全装置本体１３を敢えて手動で昇降させるように構成し、送電の有無に関わらず、該安全装置本体１３の昇降操作を可能としている。
また、該安全装置本体１３の昇降操作を手動で行うが故に、該昇降操作を簡易に行うべく該安全装置本体１３の軽量化を図るとともに、このように軽量化しつつも落下物から就寝者を好適に保護するため、安全装置本体１３に使用する材料として、軽量で且つ剛性を有するものを選定している。加えて、該シリンダ２３として、任意の位置で伸長あるいは収縮を止めることができ、かつ該任意の位置を保持することができるものを使用することにより、安全装置本体１３の昇降操作時において、シリンダ２３が伸長あるいは収縮の途中で安全装置本体１３から手を離すことが出来るなど、昇降操作に係る利便性を高めている。
【００１６】
（第２実施形態）
以下、本発明の睡眠時安全装置を具体化した第２実施形態を図面に基づいて説明する。なお、この第２実施形態では、前記第１実施形態と異なる点を中心に説明する。
図２に示すように、第２実施形態の睡眠時安全装置１０において、安全装置本体１３は、その一側縁が一対のヒンジ４１を介してベース体１２の一側縁に回動可能に接続されている。また、安全装置本体１３の上部中央とベース体１２の他側縁との間には、伸縮材４２が架設されている。該伸縮材４２には、エアダンパー、ガス式ステーなどが使用されている。該伸縮材４２は、安全装置本体１３及びベース体１２のそれぞれに対して回動可能に接続されている。
【００１７】
さて、該睡眠時安全装置１０を使用する場合、まず安全装置本体１３がベッド１１の上方で跳ね上げられた状態（図２中に実線で示した状態）で、就寝者である使用者がベッド１１上に移動する。次いで、使用者又は補助者が安全装置本体１３の他側縁を手で掴み、伸縮材４２を収縮させつつ該安全装置本体１３を下方へ回動させると、該安全装置本体１３がベッド１１を上方から覆う状態（図２中に二点鎖線で示した状態）となる。
一方、使用者がベッド１１から移動する場合は、ベッド１１を上方から覆う状態となっている安全装置本体１３の縁に手をかけ、該安全装置本体１３を上方へ跳ね上げることにより、該安全装置本体１３が回動しつつ伸縮材４２が伸長する。この伸長した該伸縮材４２は、所謂「すじかい」として機能することにより、該安全装置本体１３が跳ね上げられた状態を保持するため、この状態のまま使用者は、ベッド１１上から移動する。
【００１８】
したがって、当該睡眠時安全装置１０によれば、安全装置本体１３の回動は、使用者あるいは補助者が手動で行うものとしており、取り扱いに優れる。特に、安全装置本体１３は、軽金属、合成樹脂等の軽量で剛性を有する材料を使用しており、使用者を好適に保護するに足る強度を保持しつつ、軽量であるため、容易に回動させることができる。また、伸長した伸縮材４２がすじかいとなって跳ね上げられた状態の安全装置本体１３を支持することにより、使用者がベッド１１から移動する際に該安全装置本体１３が下方へ回動しようとすることを抑制することができる。
【００１９】
本実施形態の睡眠時安全装置１０もまた、前記実施形態の睡眠時安全装置１０と同様の理由から、安全装置本体１３の回動を手動で行うことを特徴とし、送電の有無に関わらず、該安全装置本体１３の回動操作を可能としている。また、該安全装置本体１３の回動操作を手動で行うが故に、安全装置本体１３に使用する材料として、軽量で且つ剛性を有するものを選定している。加えて、該伸縮材４２として、任意の位置で伸長あるいは収縮を止めることができ、かつ該任意の位置を保持することができるものを使用することにより、安全装置本体１３の回動操作時において、伸縮材４２が伸長あるいは収縮の途中で安全装置本体１３から手を離すことが出来るなど、回動操作に係る利便性を高めている。
【００２０】
なお、本発明の睡眠時安全装置１０は、老人ホーム、養護施設等といった介護施設での使用において有用な効果を発揮する。すなわち、通常時においては安全装置本体１３がベッド１１からの転落等といった不意の出来事に対応する柵として機能しており、また安全装置本体１３の昇降は、「センサー」等を使用した電動のものでなく、敢えて手動としたことにより、例えば寝相が悪い等を理由とした誤作動による昇降を抑制している。
また、睡眠時安全装置１０は、上記の第１及び第２実施形態に示した構成に限らず、例えば第１実施形態のシリンダ２３に代えて、滑車及びひもを用いて昇降装置を構成してもよい。また、第２実施形態において、安全装置本体１３をベッド１１の一側縁に回動可能に取り付けてもよく、さらに伸縮材４２の一端をベッド１１の他側縁に回動可能に取り付けてもよい。なお、第２実施形態において、安全装置本体１３及び伸縮材４２をベッド１１に取り付ける場合、ベース体１２を省略してもよい。また、寝具はベッド１１に限らず、和式ふとん等であってもよい。
【図面の簡単な説明】
【００２１】
【図１】第１実施形態の睡眠時安全装置を示す斜視図。
【図２】第２実施形態の睡眠時安全装置を示す斜視図。
【符号の説明】
【００２２】
１０…睡眠時安全装置、１１…寝具であるベッド、１３…安全装置本体、３１…フレーム、３２…被布。
【図１】
2008048957.tif 000003
【図２】
2008048957.tif 000004